(57)【要約】  【課題】  １または複数の画像データを再生する画像再生装置において用いられる、１または複数の画像データの再生形態を規定するプレイリストを生成するプレイリスト生成装置において、どのような再生処理能力を有する画像再生装置においても、常に違和感のない再生画像を再生するプレイリストを生成する。【解決手段】  複数種類の画像再生装置の再生処理能力情報に対応した複数のプレイリストをプレイリスト記録手段２１に予め設定し、画像データを再生する画像再生装置１０の再生処理能力情報を再生処理能力取得手段２２により取得し、その取得された再生処理能力情報に応じたプレイリストをプレイリスト選択手段２３により予め設定された複数のプレイリストの中から自動的に選択して画像再生装置１０において用いられるプレイリストを生成する。【選択図】          図１
2005340977.tif 000002
【特許請求の範囲】
【請求項１】
１または複数の画像データを再生する画像生成装置において用いられる、前記１または複数の画像データの再生形態を規定するプレイリストを生成するプレイリスト生成方法において、
複数種類の前記画像再生装置の再生処理能力情報に対応した複数の前記プレイリストを予め設定し、
前記画像データを再生する画像再生装置の再生処理能力情報を取得し、
該取得された再生処理能力情報に応じたプレイリストを前記予め設定された複数のプレイリストの中から自動的に選択して前記画像再生装置において用いられるプレイリストを生成することを特徴とするプレイリスト生成方法。
【請求項２】
１または複数の画像データを再生する画像生成装置において用いられる、前記１または複数の画像データの再生形態を規定するプレイリストを生成するプレイリスト生成方法において、
前記画像データを再生する画像生成装置の再生処理能力情報を取得し、
該取得された再生処理能力情報と予め設定された前記プレイリストに基づいて前記画像再生装置が前記画像データを前記予め設定されたプレイリストで規定された再生形態で再生可能か否かを判定し、
該判定により再生不可能と判定された場合には、前記画像再生装置が再生可能な再生形態となるように前記予め設定されたプレイリストの再生形態を自動的に変更して前記画像再生装置において用いられるプレイリストを生成することを特徴とするプレイリスト生成方法。
【請求項３】
１または複数の画像データを再生する画像再生装置において用いられる、前記１または複数の画像データの再生形態を規定するプレイリストを生成するプレイリスト生成装置において、
複数種類の前記画像再生装置の再生処理能力情報に対応した複数の前記プレイリストが予め設定されたプレイリスト記録手段と、
前記画像データを再生する画像再生装置の再生処理能力情報を取得する再生処理能力取得手段と、
該再生処理能力取得手段により取得された再生処理能力情報に応じたプレイリストを前記予め設定された複数のプレイリストの中から自動的に選択して前記画像再生装置において用いられるプレイリストを生成するプレイリスト選択手段とを備えたものであることを特徴とするプレイリスト生成装置。
【請求項４】
１または複数の画像データを再生する画像再生装置において用いられる、前記１または複数の画像データの再生形態を規定するプレイリストを生成するプレイリスト生成装置において、
前記画像データを再生する画像生成装置の再生処理能力情報を取得する再生処理能力取得手段と、
該再生処理能力取得手段により取得された再生処理能力情報と予め設定された前記プレイリストに基づいて前記画像再生装置が前記画像データを前記予め設定されたプレイリストで規定された再生形態で再生可能か否かを判定する再生処理能力判定手段と、
該再生処理能力判定手段により再生不可能と判定された場合には、前記画像再生装置が再生可能な再生形態となるように前記予め設定されたプレイリストの再生形態を自動的に変更して前記画像再生装置において用いられるプレイリストを生成するプレイリスト変更手段とを備えたものであることを特徴とするプレイリスト生成装置。
【発明の詳細な説明】
【技術分野】
【０００１】
本発明は、１または複数の画像データを再生する画像再生装置において用いられる、その１または複数の画像データの再生形態を規定するプレイリストを生成するプレイリスト生成方法および装置に関するものである。
【背景技術】
【０００２】
従来、ネガフィルムやプリントに記録された画像をスキャナなどにより読み取って得た画像データやデジタルカメラなどにより撮影された画像データを、パソコンなどの画像再生装置を用いてスライドショー形式で再生させる方法が提案されている。
【０００３】
たとえば、特許文献１においては、複数の画像データの再生順序を規定する再生順序テーブルを用い、その再生順序テーブルにおいて規定された順序で上記複数の画像データを再生する方法が提案されている。
【０００４】
また、特許文献２においては、複数の音楽データと画像データを対応付け、音楽データを予め設定された順序で再生すると同時に、その音楽データに対応付けされた画像データを再生する方法も提案されている。
【０００５】
また、上記のような画像再生装置において画像データを再生する際、その画像データにエフェクトを施し、たとえば、再生画像を回転させたり、拡大・縮小したり、または２以上の画像が重なるように再生させたりする方法も提案されている。また、複数の再生画像を切り替えて再生する際、ワイプ効果を持たせたり、種々の切替速度で再生画像を切り替えたりする方法も提案されている。
【０００６】
そして、上記のようなエフェクトや、複数の画像データの再生順序や、画像データと同時に演奏される音楽データの種類などの再生形態をプレイリストとして規定し、このプレイリストと複数の画像データとを用いてスライドショー形式で画像データを再生する方法が提案されている。
【０００７】
【特許文献１】特開２００１−１０３４１５号公報
【特許文献２】特開２００３−３０３４８８号公報
【発明の開示】
【発明が解決しようとする課題】
【０００８】
しかしながら、上記のようにプレイリストと複数の画像データとを用いて画像再生装置において再生画像を再生する際、その画像再生装置におけるＣＰＵなどの処理装置の処理速度や、画像再生装置における表示装置の解像度や、画像再生装置の有する一時記憶メモリの容量などといった画像再生装置の再生処理能力によっては、プレイリストに規定されたエフェクトを実行することができずにそのエフェクトの施された画像データを再生できなかったり、プレイリストに規定された画像切替速度で再生画像を切り替えることができずに再生画像全体を表示することができなかったり、再生画像の表示速度と音楽データの再生速度との同期がとれずにプレイリストに規定されたとおりに再生画像と音楽とを対応付けて再生できなかったりする問題が生じる。
【０００９】
本発明は、どのような再生処理能力を有する画像再生装置においても、常に違和感のない再生画像を再生するプレイリストを生成することができるプレイリスト生成方法および装置を提供することを目的とするものである。
【課題を解決するための手段】
【００１０】
本発明の第１のプレイリスト生成方法は、１または複数の画像データを再生する画像生成装置において用いられる、上記１または複数の画像データの再生形態を規定するプレイリストを生成するプレイリスト生成方法において、複数種類の画像再生装置の再生処理能力情報に対応した複数のプレイリストを予め設定し、画像データを再生する画像再生装置の再生処理能力情報を取得し、その取得された再生処理能力情報に応じたプレイリストを予め設定された複数のプレイリストの中から自動的に選択して画像再生装置において用いられるプレイリストを生成することを特徴とする。
【００１１】
本発明の第２のプレイリスト生成方法は、１または複数の画像データを再生する画像生成装置において用いられる、上記１または複数の画像データの再生形態を規定するプレイリストを生成するプレイリスト生成方法において、画像データを再生する画像生成装置の再生処理能力情報を取得し、その取得された再生処理能力情報と予め設定されたプレイリストに基づいて画像再生装置が画像データを予め設定されたプレイリストで規定された再生形態で再生可能か否かを判定し、その判定により再生不可能と判定された場合には、画像再生装置が再生可能な再生形態となるように予め設定されたプレイリストの再生形態を自動的に変更して画像再生装置において用いられるプレイリストを生成することを特徴とする。
【００１２】
本発明の第１のプレイリスト生成装置は、１または複数の画像データを再生する画像再生装置において用いられる、上記１または複数の画像データの再生形態を規定するプレイリストを生成するプレイリスト生成装置において、複数種類の画像再生装置の再生処理能力情報に対応した複数のプレイリストが予め設定されたプレイリスト記録手段と、画像データを再生する画像再生装置の再生処理能力情報を取得する再生処理能力取得手段と、再生処理能力取得手段により取得された再生処理能力情報に応じたプレイリストを予め設定された複数のプレイリストの中から自動的に選択して画像再生装置において用いられるプレイリストを生成するプレイリスト選択手段とを備えたものであることを特徴とする。
【００１３】
本発明の第２のプレイリスト生成装置は、１または複数の画像データを再生する画像再生装置において用いられる、上記１または複数の画像データの再生形態を規定するプレイリストを生成するプレイリスト生成装置において、画像データを再生する画像生成装置の再生処理能力情報を取得する再生処理能力取得手段と、再生処理能力取得手段により取得された再生処理能力情報と予め設定されたプレイリストに基づいて画像再生装置が画像データを予め設定されたプレイリストで規定された再生形態で再生可能か否かを判定する再生処理能力判定手段と、再生処理能力判定手段により再生不可能と判定された場合には、画像再生装置が再生可能な再生形態となるように予め設定されたプレイリストの再生形態を自動的に変更して画像再生装置において用いられるプレイリストを生成するプレイリスト変更手段とを備えたものであることを特徴とする。
【発明の効果】
【００１４】
本発明の第１のプレイリスト生成方法および装置によれば、複数種類の画像再生装置の再生処理能力情報に対応した複数のプレイリストを予め設定し、画像データを再生する画像再生装置の再生処理能力情報を取得し、その取得された再生処理能力情報に応じたプレイリストを予め設定された複数のプレイリストの中から自動的に選択して画像再生装置において用いられるプレイリストを生成するようにしたので、画像再生装置の再生処理能力に応じたプレイリストを生成することができ、そのプレイリストに基づいて違和感のない再生画像を再生することができる。
【００１５】
本発明の第２のプレイリスト生成方法および装置によれば、画像データを再生する画像生成装置の再生処理能力情報を取得し、その取得された再生処理能力情報と予め設定されたプレイリストに基づいて画像再生装置が画像データを予め設定されたプレイリストで規定された再生形態で再生可能か否かを判定し、その判定により再生不可能と判定された場合には、画像再生装置が再生可能な再生形態となるように予め設定されたプレイリストの再生形態を自動的に変更して画像再生装置において用いられるプレイリストを生成するようにしたので、上記第１のプレイリスト生成方法および装置と同様の効果を得ることができる。
【発明を実施するための最良の形態】
【００１６】
以下、図面を参照して本発明のプレイリスト生成方法を実施するプレイリスト生成装置の第１の実施形態を利用した画像再生システムについて説明する。図１に、本画像再生システムの概略構成を示すブロック図を示す。
【００１７】
本画像再生システムは、図１に示すように、１または複数の画像データとその画像データの再生形態を規定するプレイリストとを用いて画像データを再生する画像再生装置１０と、上記画像生成装置１０において用いられるプレイリストを生成するプレイリスト生成装置２０とを備えたものである。
【００１８】
画像再生装置１０は、１または複数の画像データが記録された画像データ記録手段１１と、画像データ記録手段１１に記録された画像データがプレイリストに基づいて表示されるような制御信号を出力する表示制御手段１２と、表示制御手段１２から出力された制御信号に基づいて画像データを表示する表示手段１３とを備えている。画像再生装置１０は、たとえば、上記画像データ記録手段１１と表示制御手段１２とを備えたコンピュータと、上記表示手段１２としてのモニタとから構成するようにすればよい。
【００１９】
プレイリスト生成装置２０は、図１に示すように、複数種類の画像再生装置の再生処理能力情報に応じた複数のプレイリストが記録されているプレイリスト記録手段２１と、画像再生装置１０の再生処理能力情報を取得する再生処理能力取得手段２２と、再生処理能力取得手段２２により取得された再生処理能力情報に応じたプレイリストをプレイリスト記録手段２１に記録された複数のプレイリストの中から選択し、その選択されたプレイリストを画像再生装置１０に出力するプレイリスト選択手段２３とを備えている。プレイリスト生成装置２０は、たとえば、上記プレイリスト記録手段２１を備えたサーバ装置と、上記再生処理能力処理手段２２およびプレイリスト選択手段２３とを備えたコンピュータとから構成するようにすればよい。
【００２０】
ここで、上記プレイリストとは、上記のように１または複数の画像データの再生形態を規定するものであるが、具体的には、図２に示すように、画像データの再生順序と、再生する画像データのファイル名と、各画像データ１〜ｎの再生形態情報１〜ｎとをリストにして記述したデータである。そして、プレイリストは、画像再生装置１０の表示制御手段１２により解読され、表示制御手段１２は、画像データがその再生形態情報に応じた再生形態で、プレイリストに規定された再生順序で再生されるよう制御信号を表示手段１３に出力する。
【００２１】
また、画像データの再生形態情報とは、たとえば、その画像データの解像度情報、画像切替情報、エフェクト情報などがあるが、画像データを可視画像として再生する際の再生方法を規定するものであれば如何なるものでもよい。なお、画像切替情報としては、たとえば、表示される画像を切り替える際の画像切替速度情報やワイプ効果の情報などがあるが、画像切替に関するものであれば如何なるものでもよい。また、エフェクト情報としては、画像の合成、回転、拡大・縮小、複数画像のレイヤーなどといった情報があるが、画像の加工情報に関するものであれば如何なるものでもよい。
【００２２】
なお、プレイリスト記録手段２１に記録されているプレイリストＡ，Ｂ，Ｃはそれぞれ異なる種類の再生形態情報を有するものであるが、一部同じ再生形態情報を有するようにしてもよい。
【００２３】
再生処理能力取得手段２２は、画像再生装置１０にアクセスし、その画像再生装置１０内に記録された再生処理能力情報を読み出して取得することができるものであり、再生処理能力取得手段２２は取得した再生処理能力情報をプレイリスト選択手段２３に出力するものである。
【００２４】
ここで、再生処理能力情報とは、画像再生装置１０において画像データを再生する際に必要とする能力を示す情報を意味し、本画像再生システムにおいては、画像処理能力情報として、画像再生装置１０の機種識別情報を利用する。なお、画像処理能力情報としては、機種識別情報に限らず、たとえば、画像再生装置１０の表示制御手段１２におけるＣＰＵの処理速度、表示手段１２の表示解像度、または画像データが一時的に記憶されるメモリの容量などといった画像処理能力そのものを示す情報でもよく、画像データを再生する際に必要とする能力を示す情報であれば如何なるものを利用するようにしてもよい。また、本画像再生システムにおいては、再生処理能力取得手段２２が画像再生装置１０内に記録された機種識別情報を読み出して取得するようにしたが、これに限らず、画像再生装置１０に機種識別情報を出力する機種識別情報出力手段を設け、この機種識別情報出力手段が再生処理能力取得手段２２から出力指示信号に応じて機種識別情報を出力するようにしてもよい。
【００２５】
プレイリスト選択手段２３は、再生処理能力取得手段２２から出力された機種識別情報を受け付け、この機種識別情報に応じたプレイリストをプレイリスト記録手段２１に記録されたプレイリストＡ，Ｂ，Ｃの中から一つ選択し、そのプレイリストを画像再生装置１０の表示制御手段１２に出力するものである。具体的には、プレイリスト選択手段２３には、図３（Ａ）に示すような、機種識別情報と、再生可能解像度情報、再生可能画像切替速度情報および再生可能エフェクト情報とを対応付けたテーブルが記憶されている。図３（Ａ）に示すテーブルにおける再生解像度情報とは、画像再生装置１０の表示手段１３において再生可能な解像度を示す情報であり、本画像再生システムにおいては、画像再生装置１０の表示手段１３が所定の解像度以上の解像度を有するものである場合にはＨ、上記所定の解像度より小さい解像度を有するものであればＬという情報をもたせるようにしている。なお、これに限らず、再生可能な解像度を示す情報であれば解像度そのものなどその他の情報を用いるようにしてもよい。また、画像切替速度情報とは、画像再生装置１０の表示制御手段１２が制御可能な画像切替速度を示す情報であり、本画像再生システムにおいては、表示制御手段１２の制御可能な画像切替速度が所定値以上である場合にはＨ、所定値より小さい場合にはＬという情報をもたせるようにしている。なお、これに限らず、制御可能な画像切替速度を示す情報であれば画像切替速度そのものなどその他の情報を用いるようにしてもよい。また、エフェクト情報とは、画像再生装置１０の表示制御手段１２が制御可能なエフェクトを示す情報であり、本画像再生システムにおいては、表示制御手段１２の制御可能なエフェクトの処理速度が所定値以上である場合にはＨ、所定値より小さい場合にはＬという情報をもたせるようにしている。なお、これに限らず、制御可能なエフェクトを示す情報であれば処理速度そのものなどその他の情報を用いるようにしてもよい。また、プレイリスト選択手段２３には、図３（Ｂ）に示すような、プレイリストの種類と、解像度情報、画像切替速度情報およびエフェクト情報とを対応付けたテーブルが記憶されている。図３（Ｂ）に示すテーブルにおける解像度情報とは、プレイリストに規定する再生形態で画像データを再生するのに必要な解像度を示す情報であり、本画像再生システムにおいては、プレイリストが所定の解像度以上の解像度を必要とするものである場合にはＨ、所定の解像度より小さい解像度を必要とするものであればＬという情報をもたせるようにしている。なお、これに限らず、プレイリストが必要とする解像度を示す情報であれば解像度そのものなどその他の情報を用いるようにしてもよい。また、画像切替速度情報とは、プレイリストに規定する再生形態で画像データを再生するのに必要な画像切替速度を示す情報であり、本画像再生システムにおいては、プレイリストが所定値以上の画像切替速度を必要とするものである場合にはＨ、所定値より小さい画像切替速度を必要とするものであれば場合にはＬという情報をもたせるようにしている。なお、これに限らず、プレイリストが必要とする画像切替速度を示す情報であれば画像切替速度そのものなどその他の情報を用いるようにしてもよい。また、エフェクト情報とは、プレイリストに規定する再生形態で画像データを再生するのに必要な処理速度を示す情報であり、本画像再生システムにおいては、プレイリストが所定値以上の処理速度を必要とするものである場合にはＨ、所定値より小さい処理速度を必要とするものであれば場合にはＬという情報をもたせるようにしている。なお、これに限らず、プレイリストが必要とする処理速度を示す情報であれば処理速度そのものなどその他の情報を用いるようにしてもよい。
【００２６】
そして、プレイリスト選択手段２３は、機種識別情報が入力されると、図３（Ａ）のテーブルを参照し、その入力された機種識別情報に対応する再生可能解像度情報、再生可能画像切替速度情報および再生可能エフェクト情報を求め、これらの全てを満たすようなプレイリストを、図３（Ｂ）を参照して求め、画像再生装置１０の表示制御手段１２に出力するものである。なお、再生可能解像度情報を満たしているプレイリストとは、たとえば、再生可能解像度情報がＬの場合は、解像度情報がＬのプレイリストのみであり、再生可能解像度情報がＨの場合は、解像度情報がＨまたはＬのプレイリストのどちらでもよい。また、再生可能画像切替速度情報を満たしているプレイリストとは、たとえば、再生可能画像切替速度情報がＬの場合は、画像切替速度情報がＬのプレイリストのみであり、再生可能画像切替速度情報がＨの場合は、画像切替速度情報がＨまたはＬのプレイリストのどちらでもよい。また、再生可能エフェクト情報を満たしているプレイリストとは、たとえば、再生可能エフェクト情報がＬの場合は、エフェクト情報がＬのプレイリストのみであり、再生可能エフェクト情報がＨの場合は、エフェクト情報がＨまたはＬのプレイリストのどちらでもよい。したがって、たとえば、機種識別情報が図３（Ａ）に示す「ａａａａ」である場合には、再生可能解像度情報がＨ、再生可能画像切替速度情報がＬ、再生可能エフェクト情報がＬであるので、図３（Ｂ）に示すプレイリストＡが選択され、画像再生装置１０の表示制御手段１２に出力されることになる。なお、本画像再生システムにおいては、上記のように図３（Ａ），（Ｂ）に示す２つのテーブルを利用して画像再生装置１０の再生処理能力情報に応じたプレイリストを選択するようにしたが、この方法に限らず、たとえば、プレイリストそのものに解像度情報、画像切替速度情報およびエフェクト情報などをもたせ、これらと図３（Ａ）に示したテーブルとを利用してプレイリストを選択するようにしてもよい。
【００２７】
次に、本画像再生システムの作用について説明する。
【００２８】
まず、プレイリスト生成装置２０の再生処理能力取得手段２２が、画像生成装置１０の機種識別情報が記憶されたメモリ（図示省略）にアクセスしてその機種識別情報を取得し、その取得した機種識別情報をプレイリスト選択手段２３に出力する。そして、プレイリスト選択手段２３は、機種識別情報が入力されると、図３（Ａ）のテーブルを参照し、その入力された機種識別情報に対応する再生可能解像度情報、再生可能画像切替速度情報および再生可能エフェクト情報を求め、これらの全てを満たすようなプレイリストを、図３（Ｂ）を参照して求め、その求められたプレイリストをプレイリスト記録手段２１から読み出して画像再生装置１０の表示制御手段１２に出力する。
【００２９】
画像生成装置１０の表示制御手段１２は、上記のようにしてプレイリスト生成装置２０から出力されたプレイリストを解読するとともに、画像データ記録手段１１からプレイリストにおいて規定された画像データを読み出し、プレイリストに規定された再生順序および再生形態情報に基づいて各画像データが再生されるように表示手段１３に制御信号を出力する。
【００３０】
次に、本発明のプレイリスト生成方法を実施するプレイリスト生成装置の第２の実施形態を利用した画像再生システムについて説明する。図４に、本画像再生システムの概略構成を示すブロック図を示す。なお、本画像再生システムにおける画像生成装置１０は、上記画像再生システムと同様である。
【００３１】
本画像再生システムのプレイリスト生成装置３０は、図４に示すように、プレイリストＡが記録されているプレイリスト記録手段３１と、画像再生装置１０の再生処理能力情報を取得する再生処理能力取得手段３２と、再生処理能力取得手段３２により取得された再生処理能力情報とプレイリスト記録手段３１に記録されたプレイリストＡに基づいて画像再生装置１０が画像データをプレイリストＡで規定された再生形態で再生可能か否かを判定する再生処理能力判定手段３３と、再生処理能力判定手段３３により再生不可能と判定された場合には、画像再生装置１０が再生可能な再生形態となるようにプレイリストＡの再生形態情報を自動的に変更して画像再生装置１０において用いられる新たなプレイリストを生成するプレイリスト変更手段３４とを備えている。
【００３２】
再生処理能力取得手段３２は、上記画像再生システムと同様であるが、本画像再生システムの再生処理能力手段３２において取得された機種識別情報は、再生処理能力判定手段３３およびプレイリスト変更手段３４に出力される。
【００３３】
再生処理能力判定手段３３は、プレイリスト記録手段３１に記録されているプレイリストＡを読み出すとともに、再生処理能力取得手段３２から出力された機種識別情報を受け付け、この機種識別情報に対応する画像生成装置１０がプレイリストＡに規定する再生形態で画像データを再生可能か否かを判定するものである。具体的には、再生処理能力判定手段３３には、図３（Ａ）に示すような、機種識別情報と、再生可能解像度情報、再生可能画像切替速度情報および再生可能エフェクト情報とを対応付けたテーブルが記憶されている。図３（Ａ）に示すテーブルにおける再生可能解像度情報、再生可能画像切替速度情報および再生可能エフェクト情報については、上記と同様である。また、再生処理能力判定手段３３には、図５に示すような、プレイリストにおいて規定される再生形態情報と、解像度情報、画像切替速度情報およびエフェクト情報とを対応付けたテーブルが記憶されている。図５に示すテーブルにおける解像度情報とは、テーブルに示された再生形態情報で画像データを再生するのに必要な解像度を示す情報であり、たとえば、その再生形態情報が所定の解像度以上の解像度を必要とするものである場合にはＨ、所定の解像度より小さい解像度を必要とするものであればＬという情報をもたせるようにしている。なお、これに限らず、再生形態情報が必要とする解像度を示す情報であれば解像度そのものなどその他の情報を用いるようにしてもよい。また、画像切替速度情報とは、テーブルに示された再生形態情報で画像データを再生するのに必要な画像切替速度を示す情報であり、本画像再生システムにおいては、その再生形態情報が所定値以上の画像切替速度を必要とするものである場合にはＨ、所定値より小さい画像切替速度を必要とするものであれば場合にはＬという情報をもたせるようにしている。なお、これに限らず、再生形態情報が必要とする画像切替速度を示す情報であれば画像切替速度そのものなどその他の情報を用いるようにしてもよい。また、エフェクト情報とは、テーブルに示された再生形態情報で画像データを再生するのに必要な処理速度を示す情報であり、本画像再生システムにおいては、その再生形態情報が所定値以上の処理速度を必要とするものである場合にはＨ、所定値より小さい処理速度を必要とするものであれば場合にはＬという情報をもたせるようにしている。なお、これに限らず、再生形態情報が必要とする処理速度を示す情報であれば処理速度そのものなどその他の情報を用いるようにしてもよい。
【００３４】
そして、再生処理能力判定手段３３は、機種識別情報が入力されると、図３（Ａ）のテーブルを参照し、その入力された機種識別情報に対応する再生可能解像度情報、再生可能画像切替速度情報および再生可能エフェクト情報を求めるとともに、プレイリスト記録手段３１に記録されたプレイリストＡを読み出し、このプレイリストＡに記述された再生形態情報を抽出する。そして、図５を参照して、上記抽出された再生形態情報に対応する解像度情報、画像切替速度情報およびエフェクト情報が、機能識別情報に対応する再生可能解像度情報、再生可能画像切替速度情報および再生可能エフェクト情報を満たしているか否かを判定する。その判定の方法については上記画像再生システムと同様である。そして、プレイリストＡに記述された全ての再生形態情報に対応する解像度情報、画像切替速度情報およびエフェクト情報が、機能識別情報に対応する再生可能解像度情報、再生可能画像切替速度情報および再生可能エフェクト情報を満たしている場合には、その旨を示す信号をプレイリスト変更手段３４に出力する。また、プレイリストＡに記述された再生形態情報のうちいずれかが、その再生形態情報に対応する解像度情報、画像切替速度情報およびエフェクト情報が、機能識別情報に対応する再生可能解像度情報、再生可能画像切替速度情報および再生可能エフェクト情報を満たしていない場合には、その旨を示す信号と、その再生形態情報の種類を示す情報とをプレイリスト変更手段３４に出力する。
【００３５】
プレイリスト変更手段３４は、プレイリストＡに記述された全ての再生形態情報が、再生可能解像度情報などを満たしている旨を示す信号を受け付けた場合には、プレイリスト記録手段３１から読み出したプレイリストＡをそのまま画像再生装置１０の表示制御手段１２に出力する。また、プレイリストＡに記述された再生形態情報のうちのいずれかが、再生可能解像度情報などを満たしていない旨を示す信号を受け付けた場合には、プレイリストＡにおけるその再生形態情報を、再生可能解像度情報などを満たす再生形態情報に変更して新たなプレイリストを生成し、そのプレイリストを画像再生装置１０の表示制御手段１２に出力する。再生形態情報の変更の方法については、たとえば、プレイリスト変更手段３４にも、図５に示すようなテーブルを設定し、このテーブルを参照して再生可能解像度情報などを満たす再生形態情報を選択し、再生可能解像度情報などを満たしていない再生形態情報を上記選択された再生形態情報に置き換えるようにすればよい。なお、プレイリストの変更方法は上記のような方法に限らず、画像再生装置１０において再生可能なプレイリストに変更するのであればその他の方法を採用するようにしてもよい。
【００３６】
次に、本画像再生システムの作用について説明する。
【００３７】
本画像再生システムにおいては、まず、再生処理能力取得手段３２が、画像生成装置１０の再生処理能力情報が記憶されたメモリ（図示省略）にアクセスして再生処理能力情報を取得し、その取得した再生処理能力情報を再生処理能力判定手段３３およびプレイリスト変更手段３４に出力する。
【００３８】
そして、再生処理能力判定手段３３は、プレイリスト記録手段３１に記録されているプレイリストＡを読み出すとともに、再生処理能力取得手段３２から出力された機種識別情報を受け付け、この機種識別情報に対応する画像生成装置１０がプレイリストＡに規定する再生形態で画像データを再生可能か否かを判定する。そして、画像再生装置１０において、プレイリストＡに規定する再生形態で画像データを再生可能と判定した場合には、その旨を示す信号をプレイリスト変更手段３４に出力する。また、画像再生装置１０において、プレイリストＡに規定する再生形態で画像データを再生不可能と判定した場合には、その旨を示す信号と、再生不可能な再生形態情報の種類を示す情報とをプレイリスト変更手段３４に出力する。
【００３９】
プレイリスト変更手段３４は、再生可能と判定した旨を示す信号を受け付けた場合には、プレイリスト記録手段３１から読み出したプレイリストＡをそのまま画像再生装置１０の表示制御手段１２に出力する。また、再生不可能と判定した旨を示す信号を受け付けた場合には、プレイリストＡを変更して画像再生装置１０において再生可能な新たなプレイリストを生成し、そのプレイリストを画像再生装置１０の表示制御手段１２に出力する。
【００４０】
画像生成装置１０の表示制御手段１２は、上記のようにしてプレイリスト生成装置３０から出力されたプレイリストを解読するとともに、画像データ記録手段１１からプレイリストにおいて規定された画像データを読み出し、プレイリストに規定された再生順序および再生形態情報に基づいて各画像データが再生されるように表示手段１３に制御信号を出力する。
【００４１】
次に、上記第２の実施形態のプレイリスト生成装置を利用した画像再生装置について説明する。図６に、本画像再生装置の概略構成を示すブロック図を示す。
【００４２】
本画像再生装置４０は、図６に示すように、プレイリストＡを受け付けるプレイリスト受付手段４１と、画像再生装置４０の再生処理能力情報を取得する再生処理能力取得手段４２と、再生処理能力取得手段４２により取得された再生処理能力情報とプレイリスト受付手段４１において受け付けられたプレイリストＡに基づいて、画像再生装置１０が画像データをプレイリストＡで規定された再生形態で再生可能か否かを判定する再生処理能力判定手段４３と、再生処理能力判定手段４３により再生不可能と判定された場合には、画像再生装置１０が再生可能な再生形態となるようにプレイリストＡの再生形態を自動的に変更して新たなプレイリストを生成するプレイリスト変更手段４４と、１または複数の画像データが記録された画像データ記録手段４５と、プレイリスト変更手段４４から出力されたプレイリストと画像データ記録手段４５に記録された画像データとに基づいて画像データが表示されるよう制御信号を出力する表示制御手段１２と、表示制御手段１２から出力された制御信号に基づいて画像データを表示する表示手段１３とを備えている。プレイリスト受付手段４１以外の手段については、上記画像再生システムの第２の実施形態のプレイリスト生成装置における手段と同様である。
【００４３】
本画像再生装置４０においては、まず、プレイリスト受付手段４１によりプレイリストＡが受け付けられ、そのプレイリストＡが再生処理能力判定手段４３およびプレイリスト変更手段４４に出力されるとともに、再生処理能力取得手段４２が、画像生成装置４０の再生処理能力情報が記憶されたメモリ（図示省略）にアクセスして再生処理能力情報を取得し、その取得した再生処理能力情報を再生処理能力判定手段４３およびプレイリスト変更手段４４に出力する。
【００４４】
そして、再生処理能力判定手段４３は、再生処理能力取得手段３２から出力された機種識別情報を受け付け、この機種識別情報に対応する画像生成装置１０がプレイリストＡに規定する再生形態で画像データを再生可能か否かを判定する。そして、画像再生装置４０において、プレイリストＡに規定する再生形態で画像データを再生可能と判定した場合には、その旨を示す信号をプレイリスト変更手段４４に出力する。また、画像再生装置４０において、プレイリストＡに規定する再生形態で画像データを再生不可能と判定した場合には、その旨を示す信号と、再生不可能な再生形態情報の種類を示す情報とをプレイリスト変更手段４４に出力する。
【００４５】
プレイリスト変更手段４４は、再生可能と判定した旨を示す信号を受け付けた場合には、プレイリストＡをそのまま表示制御手段４６に出力する。また、再生不可能と判定した旨を示す信号を受け付けた場合には、プレイリストＡを変更して画像再生装置４０において再生可能な新たなプレイリストを生成し、そのプレイリストを表示制御手段４６に出力する。
【００４６】
表示制御手段４６は、上記のようにしてプレイリスト変更手段４４から出力されたプレイリストを解読するとともに、画像データ記録手段４５からプレイリストにおいて規定された画像データを読み出し、プレイリストに規定された再生順序および再生形態情報に基づいて各画像データが再生されるように表示手段１３に制御信号を出力する。
【００４７】
なお、上記画像再生システムおよび画像再生装置においては、画像再生装置における再生可能解像度情報、再生可能画像切替速度情報および再生可能エフェクト情報の３つの条件に着目して画像再生装置において再生可能なプレイリストを生成するようにしたが、必ずしも上記３つの条件の全てに着目する必要はなく、これらのうち少なくとも１つの条件もしくは、その他の画像再生に必要となる条件の少なくとも１つについて着目し、画像再生装置において再生可能なプレイリストを生成するようにしてもよいし、画像再生に必要となるその他の条件も含めて画像再生装置において再生可能なプレイリストを生成するようにしてもよい。
【００４８】
また、上記画像再生システムおよび画像再生装置におけるプレイリストは画像データのみの再生形態を規定するものとしたが、画像データだけでなく音楽データも含めるようにしてもよく、その場合には、画像データと音楽データとを両方再生するのに必要なＣＰＵなどの処理速度なども考慮して、画像再生装置において再生可能なプレイリストを生成するようにすればよい。たとえば、画像再生装置において、音楽データと所定のエフェクトの施された画像データとを同時に再生する場合において、上記画像再生装置がこれらの両方を再生するために必要なＣＰＵの処理速度を備えていない場合には、プレイリストにおけるエフェクトを、上記所定のエフェクトよりも処理速度を必要としないエフェクトに変更して新たなプレイリストを生成するようにすればよい。
【図面の簡単な説明】
【００４９】
【図１】本発明のプレイリスト生成装置の第１の実施形態を利用した画像再生システムの概略構成を示すブロック図
【図２】プレイリストを説明するため図
【図３】機種識別情報に対応する再生可能解像度情報などを示すテーブル（Ａ）、プレイリストに対応する解像度情報などを示すテーブル（Ｂ）
【図４】本発明のプレイリスト生成装置の第２の実施形態を利用した画像再生システムの概略構成を示すブロック図
【図５】再生形態情報に対応する解像度情報などを示すテーブル
【図６】本発明のプレイリスト生成装置の第２の実施形態を利用した画像再生装置の概略構成を示すブロック図
【符号の説明】
【００５０】
１０,４０    画像再生装置
１１,４５    画像データ記録手段
１２,４６    表示制御手段
１３,４７    表示手段
２０,３０    プレイリスト生成装置
２１，３１    プレイリスト記録手段
２２，３２，４２    再生処理能力取得手段
２３    プレイリスト選択手段
３３，４３    再生処理能力判定手段
３４，４４    プレイリスト変更手段
４１    プレイリスト受付手段
【図１】
2005340977.tif 000003
【図２】
2005340977.tif 000004
【図３】
2005340977.tif 000005
【図４】
2005340977.tif 000006
【図５】
2005340977.tif 000007
【図６】
2005340977.tif 000008